(57)【要約】      （修正有）【課題】重量の重い大型タイヤであっても、安全に効率よく交換することができるタイヤ交換装置を提供する。【解決手段】タイヤ３０を載架した支承ローラ３を回転させる回転手段と、支承ローラ３に載架されたタイヤ３０の側面に両側から転接され、タイヤ３０をパレットトラック１の前後方向から支持する支持ローラ７、８とを設ける。これにより、重量の重い大型タイヤ３０であっても、安全に効率よく交換できるようにした。【選択図】図２
0003187240.tif 000002
【実用新案登録請求の範囲】
【請求項１】
昇降手段を設けた台車に、ホイール付きのタイヤの側面を前後方向に向けて鉛直姿勢で載架する左右一対の支承ローラを設けたタイヤ交換装置において、
前記支承ローラを回転させる回転手段と、
前記支承ローラに載架されたタイヤの側面に両側から転接され、前記タイヤを前記台車の前後方向から支持する支持ローラとを設けたことを特徴とするタイヤ交換装置。
【請求項２】
前記タイヤが大型の中実タイヤである請求項１に記載のタイヤ交換装置。
【考案の詳細な説明】
【技術分野】
【０００１】
本考案は、タイヤ交換装置に関し、特に重量が重い大型タイヤの交換に好適なタイヤ交換装置に関する。
【背景技術】
【０００２】
ホイール付きのタイヤを車軸に着脱するタイヤ交換装置には、昇降手段を設けた台車に、タイヤの側面を前後方向に向けて鉛直姿勢で載架する左右一対の支承ローラを設けたタイヤ交換装置が多く用いられている（例えば、特許文献１、２参照）。この種のタイヤ交換装置は、載架したタイヤが車軸端と対向するように台車を移動させたのち、昇降手段によってタイヤ中心の高さ位置を車軸中心の高さ位置に合わせるとともに、支承ローラに載架したタイヤを手で回転させることにより、車軸のハブとホイールのボルト取付穴等の回転位置を合せて、タイヤを車軸に着脱するようにしている。
【０００３】
一方、大型の特殊車両等には、直径が１ｍを超え、重量も２００ｋｇを超える大型タイヤが使用されている。また、例えば、大型フォークリフトには、タイヤが中実とされ、重量が５００ｋｇを超える大型タイヤも使用されている。
【先行技術文献】
【特許文献】
【０００４】
【特許文献１】特開平７−１７２２４号公報
【特許文献２】特開２０１１−１５２８２１号公報
【考案の概要】
【考案が解決しようとする課題】
【０００５】
特許文献１、２に記載された従来のタイヤ交換装置は、軽量の小型タイヤはハブとの高さ方向と回転方向の位置合わせを行ってタイヤを効率よく交換することができる。しかしながら、上述したような重量の重い大型タイヤに使用すると、支承ローラに載架したタイヤを手で回転させることができず、ハブとホイールの回転位置を合せることができない問題がある。
【０００６】
また、支承ローラに載架したタイヤは、台車の振動やタイヤの偏摩耗等によって前後方向へ倒れることがあり、重量の重い大型タイヤはこの倒れを人力で支えることができず、作業者がタイヤと車体との間に挟まれて、重大災害となる恐れもある。
【０００７】
そこで、本考案の課題は、重量の重い大型タイヤであっても、安全に効率よく交換することができるタイヤ交換装置を提供することである。
【課題を解決するための手段】
【０００８】
上記の課題を解決するために、本考案は、昇降手段を設けた台車に、ホイール付きのタイヤの側面を前後方向に向けて鉛直姿勢で載架する左右一対の支承ローラを設けたタイヤ交換装置において、前記支承ローラを回転させる回転手段と、前記支承ローラに載架されたタイヤの側面に両側から転接され、前記タイヤを前記台車の前後方向から支持する支持ローラとを設けた構成を採用した。
【０００９】
すなわち、支承ローラを回転させる回転手段を設けることにより、支承ローラに載架したタイヤを回転させて、ハブとホイールの回転位置を合せるとともに、支承ローラに載架されたタイヤの側面に両側から転接され、タイヤを台車の前後方向から支持する支持ローラとを設けることにより、タイヤの回転を阻害することなく、タイヤの前後方向への倒れを防止して、重量の重い大型タイヤであっても、安全に効率よく交換できるようにした。
【００１０】
上述したタイヤ交換装置は、前記タイヤが大型の中実タイヤであるものに好適である。
【考案の効果】
【００１１】
本考案のタイヤ交換装置は、支承ローラを回転させる回転手段と、支承ローラに載架されたタイヤの側面に両側から転接され、タイヤを台車の前後方向から支持する支持ローラとを設けたので、重量の重い大型タイヤであっても、安全に効率よく交換することができる。
【図面の簡単な説明】
【００１２】
【図１】タイヤ交換装置の実施形態を示す外観斜視図
【図２】図１の側面図
【図３】図１のパレットトラックを除いた正面図
【図４】図１のタイヤ交換装置を用いてタイヤを取り付ける手順を示すフローチャート
【考案を実施するための形態】
【００１３】
以下、本考案の実施形態を説明する。このタイヤ交換装置は、大型フォークリフトの中実の大型タイヤ３０を交換するものであり、図１および図２に示すように、台車に昇降手段を備えたパレットトラック１が用いられ、パレットトラック１の昇降する左右一対のフォーク１ａに差し渡して取り付けた支持台２に、ホイール３０ａ付きのタイヤ３０の側面を前後方向に向けて鉛直姿勢で載架する左右一対の支承ローラ３が設けられている。なお、パレットトラック１は、操舵アーム１ｂで後輪１ｃの向きを変えることりより移動方向を操舵し、操舵アーム１ｂを上下方向にスィングすることにより、ジャッキ機構でフォーク１ａを昇降させるものである。
【００１４】
前記支持台２の後面側には、左右方向で下向きコ字状の支持フレーム４が立設され、支持フレーム４の上側中央部に、前方へ張り出して先端部が下方へ屈曲する支持アーム５が取り付けられている。支持フレーム４には、手前側の後方に張り出す把手部６も取り付けられている。支持フレーム４と支持アーム５は、それぞれ丸パイプをエルボ管４ａ、５ａで接続して形成されている。
【００１５】
前記支持フレーム４の左右の柱部の上部には、台車後側のタイヤ３０の側面に転接される左右一対のリング状の支持ローラ７がブラケット７ａを介して取り付けられている。また、支持アーム５の下方へ屈曲した先端部には、台車前側のタイヤ３０の側面に転接される筒状の支持ローラ８が回転自在に外嵌されている。したがって、支承ローラ３に載架されたタイヤ３０は、台車前後両側の側面を、各支持ローラ７、８で挟持されるように支持されるので、タイヤ交換中や搬送中に前後方向へ転倒することはない。
【００１６】
前記左右一対の支持ローラ７は、タイヤ３０の側面に周方向へ向けて転接されるように、タイヤ３０の外径に応じて、ブラケット７ａによる支持フレーム４への取り付け高さ位置と取り付け角度を調節できるようになっている。
【００１７】
前記支持アーム５は、支持フレーム４の上側中央部に取り付けられた筒部材９に縦向きの基部を上方から嵌め込まれて着脱可能とされており、タイヤ３０を支承ローラ３に載せたり降ろしたりするときに、邪魔にならないように取り外される。また、厚みの異なるタイヤ３０に使用するときは、アームの張り出し長さが異なるものと交換される。アームに伸縮部を設けて、張り出し長さを調節可能としてもよい。支持アーム５は筒部材９への嵌め込み高さ位置を調節可能とされており、支持ローラ８はタイヤ３０の側面に周方向の最上部で水平方向に転接される。
【００１８】
図３に示すように、一方の支承ローラ３の回転軸にはスプロケット１０ａが取り付けられ、支持台２に取り付けられたスプロケット１０ｂとの間にチェーン１１が巻回されている。したがって、スプロケット１０ｂの回転軸を、例えばラチェットハンドル１２を用いて回すことにより、重いタイヤ３０が載架された支承ローラ３をチェーン駆動で回転させることができる。この支承ローラ３の回転に伴って回転するタイヤ３０は、上述したように、両側の側面を回転自在な各支持ローラ７、８によって支持されているので、回転を阻害されることはない。
【００１９】
前記タイヤ３０のホイール３０ａは、円周方向の１箇所に内周側へ突出する凸部３１が設けられており、この凸部３１の回転位置をハブの凹部（図示省略）の位置に合せて、ハブに取り付けられる。なお、ハブとタイヤの回転位置合わせは、このような凸部と凹部の組み合わせに限定されることはなく、一般的なボルト取付穴を利用する方法であってもよい。
【００２０】
図４は、上述したタイヤ交換装置を用いてタイヤ３０を取り付ける手順を示すフローチャートである。まず、図２に示したように、支承ローラ３に載架したタイヤ３０の両側の側面を各支持ローラ７、８で支持したのち、パレットトラック１をジャッキアップした車軸端と対向する位置に移動させる。こののち、フォーク１ａを昇降させて、タイヤ３０中心とハブ中心の高さ位置を合わせる。最後に、支承ローラ３を回転させて、ホイール３０ａとハブの回転位置を合わせ、タイヤ３０をハブに取り付ける。
【００２１】
フローチャートは省略するが、前記タイヤ３０を取り外す場合は、空のパレットトラック１を車軸端と対向する位置に移動させたのち、フォーク１ａを昇降させて、ジャッキアップされたハブに取り付けられたタイヤ３０に支承ローラ３を下側から当接させる。こののち、タイヤ３０の両側の側面を各支持ローラ７、８で支持して、タイヤ３０をハブから取り外す。
【００２２】
上述した実施形態では、台車に昇降手段を備えたパレットトラックを用いたが、台車はパレットトラックに限定されることはなく、他のタイプの台車に昇降手段を設けたものとしてもよい。
【００２３】
上述した実施形態では、タイヤの台車後側の側面を左右一対のリング状の支持ローラで、台車前側の側面を１つの筒状の支持ローラで支持したが、各支持ローラの個数と形態は実施形態のものに限定されることはなく、タイヤの両側の側面をタイヤの回転を阻害することなく支持するものであればよい。
【００２４】
上述した実施形態では、大型フォークリフトの中実の大型タイヤを交換するようにしたが、本発明に係るタイヤ交換装置は、空気入りの大型タイヤの交換にも使用することができる。
【符号の説明】
【００２５】
１  パレットトラック
１ａ  フォーク
１ｂ  操舵アーム
１ｃ  後輪
２  支持台
３  支承ローラ
４  支持フレーム
５  支持アーム
４ａ、５ａ  エルボ管
６  把手部
７  支持ローラ
７ａ  ブラケット
８  支持ローラ
９  筒部材
１０ａ、１０ｂ  スプロケット
１１  チェーン
１２  ラチェットハンドル
３０  タイヤ
３０ａ  ホイール
３１  凸部
【図１】
0003187240.tif 000003
【図２】
0003187240.tif 000004
【図３】
0003187240.tif 000005
【図４】
0003187240.tif 000006